(57)【要約】      （修正有）【課題】衣類、カバン、見廻り品や保管可能な各種動産の保管及び保管品の会員同士の評価、情報交換ができ、有料会員は保管品の購入が可能で、購入した保管品の預け入れが可能な、預け入れ動産相互の情報交換・取引・情報管理システムを提供する。【解決手段】有料会員から預かった動産のアイテム情報が、サーバのデータベースに動産所有者の会員ＩＤと関連づけてアイテムファイルとして登録する手段と、各アイテムファイルに対応する動産の所在及び価格情報とランク付け情報を、インターネットを介してアイテムファイルに登録する手段と、アイテムファイルを表示する手段と、アイテムファイルに対応する動産の評価等をアイテムファイルに登録する手段と、アイテムファイルに対応する動産を購入する操作手段を備える。【選択図】図１
2008117216.tif 000002
【特許請求の範囲】
【請求項１】
各有料会員から預かった動産のアイテム情報が、サービス提供者の入出力端末により画像及びメーカー・ブランド等の固有属性情報に変換されてサーバのアイテムデータベースに動産所有者の会員ＩＤと関連づけてアイテムファイルとして登録する手段と、
各アイテムファイルに対応する動産の所在情報および希望販売価格情報並びに、所有者のみが閲覧可能な非公開、会員のみが閲覧可能な会員公開、すべてのサービス利用者が閲覧可能な完全公開のいずれかにランク付けしたフラグ情報を、該アイテム所有者の入出力端末よりインターネットを介して、該アイテムファイルに登録する手段と、
各サービス利用者の入出力端末の画面に、サーバのデータベースよりインターネットを介して、該サービス利用者が公開対象とされているアイテムファイルを表示する手段と、
各アイテムファイルに対応する動産についての評価フラグ並びに任意のテキスト情報を、各サービス利用者の入出力端末よりインターネットを介して、該アイテムファイルに登録する手段と、
各有料会員の入出力端末上でインターネットを介して、価格情報が登録され、かつ該有料会員が公開対象とされたアイテムファイルに対応する動産を購入するクリック操作手段を備えたことを特徴とする預け入れ動産相互の情報交換・取引・情報管理システム。
【発明の詳細な説明】
【技術分野】
【０００１】
本発明は衣服、装身具、カバン、バッグや身廻り品あるいは保管可能な各種動産に関する保管並びに保管品に対する本人を含めた会員同士の評価、情報交換ができ、該保管品に関し会員及び非会員が購入可能な預け入れ動産相互の情報交換・取引・情報管理システムに関する。
【背景技術】
【０００２】
従来のこの種の預かり物の提示方法として、クリーニング対象の品物の保管業務における顧客からの預かり物の内容を、インターネットを介して顧客に提示する預かり物の提示方法であって、
提示者が利用する第１通信装置により、顧客から預かるべき複数の品物又は顧客から預かった複数の品物の画像データを得て、該複数の品物の画像データを記憶手段に記憶する第１ステップと、
顧客が直接利用するウェブブラウザ機能を備えた第２通信装置から受信するユーザ情報と前記複数の品物の画像データに対応付けて前記記憶手段に予め記憶された認証情報とに基づいて認証を行う第２ステップと、
前記ユーザ情報が前記認証情報と一致する場合に、前記記憶手段に記憶された前記複数の品物の画像データの中から、前記ユーザ情報に対応するものを一覧出力形式で、品物の顧客による識別の用に供すべく、前記第２通信装置へ送信する第３ステップとを有し、
該第３ステップは、品物を識別した顧客の画面上における所定のクリック操作に応じて品物の選択的な返却要求を前記第２通信装置から送信させるようになしたウェブページに、前記品物に対応する画像データを含めて送信することを特徴とする預かり物の提示方法がある(特許文献１)。
【０００３】
【特許文献１】特許第３６０４３３５号の請求項１
【発明の開示】
【発明が解決しようとする課題】
【０００４】
上記従来技術にあっては、衣類等のクリーニング対象物の保管業務を行う事業者が、顧客から預かっている対象物の内容を画像で遠隔地の顧客に対して視覚的に示すことができるばかりでなく、顧客は、預けている対象物の中から自分が所望しているものを容易且つ的確に前記事業者に対して知らしめることができ、前記事業者と顧客との間の速やかな応答が期待できるという利点を有するものの、
顧客と事業者との間の応答に過ぎず、保管品に対する本人を含めた会員同士の評価、情報交換ができないことは勿論のこと、該保管品に関し会員及び非会員が購入し得る方法でもない。
【０００５】
アイテムに関する情報(写真等)が、すべて出品者個人の申請に基づくものであるため、安心して購入できない。(２)個人情報の問題としては、売買が成立した場合、販売者に対し発送先の住所を伝える一般に、インターネットを利用したオークション等個人売買の場合、以下のような問題が発生する。
「販売者側」の観点から見ると、(１)販売準備にかかる労力を考えた場合、出品に際し、商品の写真撮影や説明書きを準備する必要がある。そのため、気軽に販売することができない。(２)発送する手間を考えると、売買が成立した場合、商品を購入者宅へ発送する必要がある。また、(３)その発送費用を、販売者が負担する場合もある。
【０００６】
「購入者側」の観点から見ると、(１)商品内容に対する不安としては、出品された必要がある。
【０００７】
本発明は、上記の課題をすべて解決することにある。すなわち、(１)「販売者側」は販売準備が簡単である。その理由は、アイテムについて、あらかじめサービス提供者が写真撮影し、その動産の固有属性情報を入力するので、販売者は価格を設定するだけで気軽に販売できる。また、(２)「販売者側」は発送が不要であり、かつ「販売者側」の住所等を「購入者側」に知らせる必要がない。売買が成立した場合、所有権が移動するだけで、その販売対象となる動産の所在は商品センター内のままである。したがって、発送する必要がない。(３)「購入者側」は商品内容が信頼できる。出品されたアイテムに関する情報のうち、写真や固有属性情報はサービス提供者が入力したもの(情報に客観性がある)であり、安心して購入できる。(４)個人情報はサービス提供者が一元的に管理できる。すなわち、売買が成立した場合、所有権が移動するだけで、その販売対象となる動産の所在は商品センター内のままである。したがって、販売者に対し発送先の住所を伝える必要がない。また後日、自宅へ配送する際も、サービス提供者が発送するため、安心して利用できる。
【０００８】
また、本発明の目的は、衣服、装身具、カバン、バッグや身廻り品あるいは保管可能な各種動産に関する保管に加え、それら各保管品に対する本人を含めた会員同士の評価、情報交換ができ、該保管品に関し有料会員が購入可能で、かつ購入者が購入した保管品をそのまま預け入れておくことも可能な、預け入れ動産相互の情報交換・取引・情報管理システムを提供することにある。
【課題を解決するための手段】
【０００９】
本発明に係る預け入れ動産相互の情報交換・取引・情報管理システムは、各有料会員から預かった動産のアイテム情報が、サービス提供者の入出力端末により画像及びメーカー・ブランド等の固有属性情報に変換されてサーバのアイテムデータベースに動産所有者の会員ＩＤと関連づけてアイテムファイルとして登録する手段と、
各アイテムファイルに対応する動産の所在情報および希望販売価格情報並びに、所有者のみが閲覧可能な非公開、会員のみが閲覧可能な会員公開、すべてのサービス利用者が閲覧可能な完全公開のいずれかにランク付けしたフラグ情報を、該アイテム所有者の入出力端末よりインターネットを介して、該アイテムファイルに登録する手段と、
各サービス利用者の入出力端末の画面に、サーバのデータベースよりインターネットを介して、該サービス利用者が公開対象とされているアイテムファイルを表示する手段と、
各アイテムファイルに対応する動産についての評価フラグ並びに任意のテキスト情報を、各サービス利用者の入出力端末よりインターネットを介して、該アイテムファイルに登録する手段と、
各有料会員の入出力端末上でインターネットを介して、価格情報が登録され、かつ該有料会員が公開対象とされたアイテムファイルに対応する動産を購入するクリック操作手段を備えたことを特徴とする。
【００１０】
本発明に係る預け入れ動産相互の情報交換・取引・情報管理システムの実行する前の準備として、ＩＤを有する有料会員が自己の動産を保管センターに預け入れることが前提となる。
すなわち、本発明に係る預け入れ動産相互の情報交換・取引・情報管理システムの実行方法は次のとおりである。
保管センターに預け入れた動産の情報を、サービス提供者の入出力端末からインターネットを介してサーバのアイテムデータベースに、有料会員のＩＤと関連づけたアイテムファイルとして記憶し、さらに預かった動産の所在情報を記憶する第１ステップと、
前記サービス提供者の入出力端末及びインターネットを介してサーバのアイテムデータベースの上記アイテムファイルに、前記動産に関する画像及びメーカー・ブランド等の固有属性情報を記憶する第２ステップと、
有料会員の入出力端末及びインターネットを介して、サーバのアイテムデータベースの上記第２ステップで得たアイテムファイルに、自己のみが閲覧可能な非公開、会員のみが閲覧可能な会員公開、すべてのサービス利用者が閲覧可能な完全公開のいずれかにランク付けしたフラグ情報を記憶し、さらにそのアイテムファイルに対応する動産について希望販売価格情報を記憶し、そのランク付けしたフラグ情報並びに希望販売価格情報が預け入れた有料会員の入出力端末の画面に表示される第３ステップと、
前記ランク付けされたアイテムファイルのうち、公開対象となっているアイテムファイルに、評価フラグ並びに任意のテキスト情報を記憶し、その情報を公開対象となっている利用者の各入出力端末の画面に表示する第４ステップと、
有料会員の入出力端末及びインターネットを介して価格情報が格納されたアイテムファイルのうち閲覧可能なアイテムファイルの動産を有料会員の各入出力端末の画面上で購入する第５ステップによって実行される。
【発明の効果】
【００１１】
本発明は下記の効果を奏する。
(１)「販売者側」は販売準備が簡単である。また、(２)「販売者側」は発送が不要である。
(３)「購入者側」は商品内容が信頼できる。 (４)個人情報はサービス提供者が一元的に管理できる。
また、本発明は、衣服、装身具、カバン、バッグや身廻り品あるいは保管可能な各種動産に関する保管に加え、それら各保管品に対する本人を含めた会員同士の評価、情報交換ができ、該保管品に関し会員及び非会員が購入可能で、かつ購入者が購入した保管品を保管センターにそのまま預け入れておくことも可能となる。
【００１２】
また自己が所有する保管品は予め保管センターに保管された状態で管理されているので、商品の保管状況も良好であり、購入者は安心して購入できる。
さらに、保管する動産は所有者のみが閲覧できる場合の他、特定の会員同士で自己の動産について会員同士の評価、情報交換ができ、動産を通して友好の輪が拡大し、相互に刺激し合って趣味の輪が広がる。
【００１３】
本発明の最大のポイントは、動産の実体とデータベース上のアイテムファイルが1対1で結びついているという点である。
本発明では、動産についてはサービス提供者が管理し、所有者の手を離れる。そして実体と紐づけられたアイテムファイルには、外観写真等の固有属性が、サービス提供者によって客観的情報として登録される。そしてそのアイテムファイルは、(客観的情報を持つ)実体の分身あるいは実体そのものとして、インターネットを介して各利用者が閲覧できる。
通常、インターネット上で飛び交う情報(とくに個人が発信したもの)には、実体の裏づけがない。情報の真偽を確かめる手段も存在しない。しかし本発明では、サービス提供者がその動産の存在を保証し、さらに客観的な情報を付加しているため、まさに実体そのものとして情報を利用できるのである。
さらに、そのアイテムファイルには、さまざまな人が第三者属性を付加することができる。多くの人の主観的な情報(コメントや評価)が加わることにより、そのアイテムには社会的に新たな「価値」が生まれる。一方、動産を自宅に保管している状態では、所有者にとっての価値しか存在しない。これに対し、本発明は、まさに、新しい動産所有のあり方を提案するシステムと言える。
【発明を実施するための最良の形態】
【００１４】
以下、本発明の一実施例を図面に基づいて説明する。
図１はアイテムに関するメタデータの入力管理システムを示す概略説明図である。
住所、氏名、ＩＤ番号及び金融機関口座番号等の個人情報の提供を行い、自己の動産１を保管センター２に預け入れ、その保管料の支払を条件とする有料会員３と、有料会員３ではなく住所、氏名、ＩＤ番号及び金融機関口座番号等の個人情報の提供を行なうことを条件とする無料会員４と、有料会員３及び無料会員４のいずれにも該当せず有料会員３から提供される動産に関するブログ・掲示板の閲覧が可能で、かつ前記動産を購入可能とする非会員５とからなる。
【００１５】
有料会員３、無料会員４及び非会員５のそれぞれが所有する入出力端末６はいずれもインターネット７に接続されている。インターネット７に接続するサーバ８の記録部(図示せず)は会員データベース９、キーワードデータベース１０及びアイテムデータベース１１を備えている。有料会員３から預け入れられた自己の動産１は保管センター２に預け入れ保管される。
【００１６】
会員からの個人情報及び有料会員からの動産に関する情報はサービス提供者１２が自己の入出力端末１３からインターネット７を介してサーバ８の会員データベース９、キーワードデータベース１０及びアイテムデータベース１１に該当する情報を入出力して情報の追加、削除、書換え等の端末操作を行う。
保管センター２において保管中の自己所有の動産に関するデータベース上の各種情報は、インターネット７を介してパソコンや携帯電話機等のＷｅｂブラウザ上に表示される会員専用ページにて閲覧できる。
【００１７】
図２はメタデータ化と情報の構造を示す概略説明図である。
有料会員３の所有する動産１はその属性によって、主にサービス提供者が付与する情報により分類されたその動産の固有属性と、主に所有者本人が付与する情報により分類された所有者に従属する属性と、全会員が付与できる情報により分類された第三者従属属性とに分類される。
【００１８】
動産の固有属性としては、メーカー・ブランド等の出所表示情報と、色柄、サイズ等の用途・機能情報と、公開対象となる動産の外観写真等の画像情報で構成される。これらの属性情報をもとにキーワードデータベース１０が構築される。
【００１９】
所有者に従属する属性としては、各所有者に固有のユーザＩＤに関する会員ＩＤ情報、動産１の保管場所を含めて動産の所在情報、自己の動産１のうち公開可能すなわち閲覧対象となる公開ランク情報及び公開対象となる自己の動産１の販売価格を表示する販売価格情報で構成される。これらの属性情報をもとにキーワードデータベース１０が構築される。
【００２０】
第三者従属属性としては、公開対象となる動産１に関する本人評価及び本人以外の会員からの評価を示す評価フラグアイテム情報と、その動産１に関する特徴や認識、意見、コメント等について文字による書込みが可能な任意のテキスト情報で構成される。これらの属性情報をもとにキーワードデータベース１０が構築される。
【００２１】
図３は顧客別・利用可能サービスを示す概略説明図である。
顧客別・利用可能サービスは次の通りである。
有料会員はアイテムの保管サービス、アイテムのメンテナンスサービス、会員別の会員専用ページへのアイテムの登録と公開ランク設定及びアイテムの販売・購入等の各サービスを利用できる。無料会員は会員別の会員専用ページとブログ・掲示板・アイテム情報の書き込み等の各サービスを利用できる。非会員はブログ・掲示板・アイテム情報の閲覧等の各サービスを利用できる。なお、非会員が利用できる上記サービスは会員も同様である。
【００２２】
図４は各ページの役割・機能を示す概略説明図である。
アイテム単位ページは該当アイテムのメタデータを表示しており、例えば「任意のテキスト情報」は該当アイテムに関する話題の掲示板として機能する。ショッピングカートはアイテムの売買機能を示すものであり、動産の販売は有料会員のみが可能となり、その販売対象となる動産の購入は有料会員、無料会員及び非会員の全ての利用者が可能となる。会員別専用ページは該当有料会員所有のアイテム一覧表示がされており、必要に応じて絞込み表示が可能である。また会員別専用ページには該当会員のブログ機能を備え、かつ該当会員のプロフィール表示がされる。キーワード別ページは該当キーワードに一致するアイテムの一覧表示をするもので、必要に応じて絞込み表示が可能である。またキーワード別ページは該当キーワードを共通テーマにした話題の掲示板を備えている。全アイテム表示ページは全アイテムの一覧表示を示すもので、必要に応じて絞込み表示が可能である。
【００２３】
図５は閲覧者の流れを示す概略説明図である。
外部から提供サービスＷｅｂサイトに入る場合、会員別の専用ページもしくはキーワード別ページ又はアイテム単位ページあるいはサイトのＴＯＰページのいずれかが入り口となる。キーワード別ページ、アイテム単位ページ、全アイテム表示ページ及びショッピングカートのそれぞれについて相互に行き来できる。
【００２４】
図６はアイテム表示ページの考え方を示す概略説明図である。
図６では衣服及び履物を例に採り説明する。
全アイテム表示ページにおいて有料会員ａに着目した場合、その預け入れる動産はスカート及びそのブランドＸ、コート及びそのブランドＹ、ブーツ及びそのブランドＺであり、有料会員ｂに着目した場合、その預け入れる動産はブーツ及びそのブランドＸ、スカート及びそのブランドＹ、コート及びそのブランドＹであり、有料会員ｃに着目した場合、その預け入れる動産はコート及びそのブランドＸ、スカート及びそのブランドＹ、ブーツ及びそのブランドＺである。全アイテム表示ページに表示された各預け入れ対象となる動産は、キーワード別ページにおいて衣服の種類別及びブランド別にそれぞれ該当アイテムのみが表示される。そして、各有料会員ａ、ｂ、ｃの専用ページには各会員所有アイテムのみが表示される。
【００２５】
図７は会員およびキーワードによるデータ抽出を示すフローシートである。  
会員は自己のＩＤを自己の入出力端末の入力部から入力して本人確認をした後、自己の入出力端末の入力部からアイテムに関するブランド等のキーワードもしくは有料会員ＩＤを入力すると、そのキーワードがインターネットを介してサーバのネットワーク制御部に送信され、ＣＰＵのデータ抽出プログラムに基づいてキーワードデータベース１０もしくは会員データベース９の検索によりアイテムデータベース１１から該当アイテムを抽出するとともにメモリに一時的に保存し、Ｗｅｂページ生成プログラムにより生成されたＷｅｂページがネットワーク制御部及びインターネットを介して上記会員の入出力端末の出力部から画面表示される。
さらに、上記キーワードによるデータ抽出の流れを概略的に述べると次の通りである。
(１)  ページ表示に関するキーとなる情報を、会員が入出力端末の入力部に入
力する。
(２)  入力されたキーに対応する各種情報を、ＣＰＵがデータベースより抽出する。
(３)  抽出された情報を基に、「会員別専用ページ」もしくは「キーワード別ページ」を，ＣＰＵが生成する。
(４)  生成されたＷｅｂページを、会員の入出力端末の出力部に出力する。
なお、顧客は自己の入出力端末からインターネッを介してサーバのホストコ
ンピュータのデータベースに住所、氏名、口座番号等の顧客情報を送信する。顧
客情報を受けてサーバは顧客を有料会員として認め、ＩＤやパスワードを付与
する。
【００２６】
図８は動産に関するアイテムの公開ランク設定(１)を示す概略説明図である。
有料会員ａは自己が所有する動産Ａ〜Ｃについて、Ａ非公開、Ｂ会員公開およびＣ完全公開にそれぞれランク付けを行なう。
Ａ非公開は有料会員ａのみが自己の動産に関するアイテムの閲覧が可能であり、Ｂ会員公開は有料会員ａ以外に会員ｂも閲覧可能であり、Ｃ完全公開は非会員を含めて全ての訪問者が動産に関するアイテムの閲覧が可能である。
【００２７】
図９は動産に関するアイテムの公開ランク設定(２)を示す概略説明図である。
有料会員ａ１の所有する動産はアイテムＡ１、Ａ１′、Ａ１〃に分類され、いずれも自己の所有する動産をＡ非公開とした場合を示し、有料会員ａ２の所有する動産はアイテムＡ２、Ｂ２及びＣ２にランク付けしている場合を示す。有料会員ａ２が預け入れた動産の内訳は非公開を示すアイテムＡ２と、会員公開を示すアイテムＢ２と、非会員を含む完全公開を示すアイテムＣ２に分類される。
有料会員ａ１が閲覧可能な範囲は自己が所有する動産であるアイテムＡ１、Ａ１′、Ａ１〃と有料会員ａ２が所有する動産であるアイテムＢ２及びＣ２であり、有料会員ａ２が閲覧可能な範囲は自己が所有する動産であるアイテムＡ２、Ｂ２及びＣ２である。
【００２８】
図１０は利用者別・アイテムの見え方(１)を示す概略説明図である。
アイテム所有者自身が見ている状況を説明すると、インターネットを介してＷｅｂ上の有料会員専用ページにはアイテムＡ、Ｂ及びＣが表示され、Ａは所有者のみが閲覧可能な非公開アイテムで、Ｂは会員のみが閲覧可能な会員公開アイテムで、Ｃは全ての訪問者が閲覧可能な完全公開アイテムである。
【００２９】
図１１は利用者別・アイテムの見え方(２)を示す概略説明図である。
アイテム所有者以外の会員が見ている状況を説明すると、インターネットを介してＷｅｂ上の所有者(有料会員)の会員別専用ページのそれぞれにはアイテムＢ及びＣが表示され、キーワード別ページ及びアイテム全体ページのそれぞれにはＢ及びＣが表示される。Ａは所有者のみが閲覧可能な非公開アイテムで、Ｂは会員のみが閲覧可能な会員公開アイテムで、Ｃは全ての訪問者が閲覧可能な完全公開アイテムである。
【００３０】
図１２は利用者別・アイテムの見え方(３)を示す概略説明図である。
非会員が見ている状況を説明すると、インターネットを介してＷｅｂ上の所有
者(有料会員)の会員別専用ページ、キーワード別ページ及び全アイテム表示ページのいずれにもＣのみが表示される。Ａは所有者のみが閲覧可能な非公開アイテムで、Ｂは会員のみが閲覧可能な会員公開アイテムで、Ｃは全ての訪問者が閲覧可能な完全公開アイテムで、Ｄは所有者が任意に指定した会員のみが閲覧可能な限定公開アイテムである。
【００３１】
動産の所有者である有料会員はその動産に対応するアイテムファイルにコメント等の書き込み情報を必要に応じて入力する。そして、自己の所有する動産について販売する意思がある場合は、その販売対象の動産に価格を設定する。なお、販売の意思がない動産についても有料会員はそのアイテムファイルを公開することができる。
【００３２】
次に、有料会員が購入者となる場合について説明する。動産アイテムを閲覧して購入操作を行い、売買が成立した場合は支払の操作をしてサーバに売買決済処理を依頼し、売買決済処理終了後、サーバはその動産の販売者に対し、入金済みである旨の連絡をする。この売買成立により販売者のアイテム所有権は消滅し、販売者の動産アイテムから削除される。
【００３３】
図１３は有料会員所有動産の売買の流れを示すフローシートである。
有料会員となる販売者は、はじめに自己の入出力端末からインターネットを介してサービス提供者の入出力端末に住所、氏名、金融機関の口座番号等の個人情報を送信し、サービス提供者は顧客情報をサーバの会員データベースに送信し、該会員データベースに顧客情報を登録する。会員データベースの会員登録の確認を待って前記販売者は、自己の入出力端末からログインをして自己の所有する動産アイテムをサービス提供者に預ける。
【００３４】
動産アイテムを受け取ったサービス提供者は動産の外観を撮影した写真等の画像、ブランド、商品名、価格等の各種アイテム情報のメタデータ化を行ない、メタデータ化したアイテムファイルをサーバのアイテムデータベースに格納する。メタデータ化したアイテムファイルに対し、販売者はコメントを自己の入出力端末から入力し、閲覧者に向けた購入の動機づけ等の情報提供を行う。販売対象である動産は保管センターにおいて保管されている。
【００３５】
個人情報を提供して有料会員となった購入者は、自己の入出力端末からサーバの会員データベース、キーワードデータベース及びアイテムデータベースのいずれかにアクセスし、販売対象である動産に関するメタデータ化されたアイテムデータベースの対応するアイテム情報を得る。前記購入者は、自己の入出力端末から購入・決済操作を行い、サーバはこれを受け売買決済処理を行い、販売者に対し売買成立・入金の通知処理を行なう。
サーバは売買アイテムの会員(所有者)ＩＤを購入者に書換え、販売者にはアイテム所有権消滅の通知を行い、購入者に対してはアイテム所有権の獲得の通知を行う。
【図面の簡単な説明】
【００３６】
【図１】アイテムに関するメタデータの入力管理システムを示す概略説明図である。
【図２】メタデータ化と情報の構造を示す概略説明図である。
【図３】顧客別・利用可能サービスを示す概略説明図である。
【図４】各ページの役割・機能を示す概略説明図である。
【図５】閲覧者の流れを示す概略説明図である。
【図６】アイテム表示ページの考え方を示す概略説明図である。
【図７】会員及びキーワードによるデータ抽出を示す概略説明図である。
【図８】動産に関するアイテムの公開ランク設定(１)を示す概略説明図である。
【図９】動産に関するアイテムの公開ランク設定(２)を示す概略説明図である。
【図１０】利用者別・アイテムの見え方(１)を示す概略説明図である。
【図１１】利用者別・アイテムの見え方(２)を示す概略説明図である。
【図１２】利用者別・アイテムの見え方(３)を示す概略説明図である。
【図１３】有料会員所有動産の売買の流れを示す概略説明図である。
【符号の説明】
【００３７】
１    有料会員自己の動産
２    保管センター
３    有料会員
４    無料会員
５    非会員
６    入出力端末
７    インターネット
８    サーバ
９    会員データベース
１０  キーワードデータベース
１１  アイテムデータベース
１２  サービス提供者
１３  入出力端末
【図１】
2008117216.tif 000003
【図２】
2008117216.tif 000004
【図３】
2008117216.tif 000005
【図４】
2008117216.tif 000006
【図５】
2008117216.tif 000007
【図６】
2008117216.tif 000008
【図７】
2008117216.tif 000009
【図８】
2008117216.tif 000010
【図９】
2008117216.tif 000011
【図１０】
2008117216.tif 000012
【図１１】
2008117216.tif 000013
【図１２】
2008117216.tif 000014
【図１３】
2008117216.tif 000015